(57)【要約】  本発明は、有用車両のオペレーションに係わる個人データを電子的に記録するディジタルタコグラフ（１）を用いて、イベントに対応づけられているイベントエントリ（ＡＢＣ，ＸＹＺ）を管理する方法に関する。慣用の方法はその可能性において、殊にユーザによる影響力行使の点で、著しく制約されている。本発明によれば、基本コンポーネント（ＢＫ１，ＢＫ２，ＢＫ３）によりイベントが優先順位（Ｐ１，Ｐ２）とともにセントラルイベントメモリ（２）に書き込まれ、イベントモジュール（３）によりイベントが選択されて後続処理に送られる。
2008511885.tif 000002
【特許請求の範囲】
【請求項１】
有用車両のオペレーションに係わる個人データを電子的に記録するためのディジタルタコグラフ（１）を用いて、イベントに対応づけられたイベントエントリ（ＡＢＣ，ＸＹＺ）を管理する方法において、
基本コンポーネント（ＢＫ１，ＢＫ２，ＢＫ３）により、イベントがイベントエントリとしてセントラルイベントメモリ（２）に優先順位（Ｐ１，Ｐ２）とともに書き込まれ、
イベントモジュール（３）が、最高優先順位（Ｐ１，Ｐ２）をもつイベントエントリ（ＡＢＣ，ＸＹＺ）についてセントラルイベントメモリ（２）を規則的なタイムインターバルでサーチして、該最高優先順位（Ｐ１，Ｐ２）をもつイベントエントリ（ＡＢＣ，ＸＹＺ）を選択し、
前記イベントモジュール（３）は制御パラメータテーブル（７）を用いて、選択された前記イベントエントリ（ＡＢＣ，ＸＹＺ）のイベントに制御パラメータ（６）を割り当て、
該制御パラメータ（６）に依存して、
車両メモリ（２３）において前記イベントエントリ（ＡＢＣ，ＸＹＺ）のイベントに対応するメモリエントリを初期化し、または、
カーエリアネットワーク（Car-Area-Networks CAN）を介して他のコンポーネント（３０）へ制御信号を送信し、または、
プリンタ（２７）を介した出力を準備し、または、
ディスプレイの表示を初期化し、または、
外部のデータメモリへのデータ伝送を指示することを特徴とする、
イベントに対応づけられたイベントエントリ（ＡＢＣ，ＸＹＺ）を管理する方法。
【請求項２】
請求項１記載の方法において、
前記制御パラメータテーブル（７）は、イベントエントリ（ＡＢＣ，ＸＹＺ）に対応づけられているイベント参照番号に依存して制御パラメータ（６）を有していることを特徴とする方法。
【請求項３】
請求項１記載の方法において、
前記基本コンポーネント（ＢＫ１，ＢＫ２，ＢＫ３）は割り当て機能部（ＺｕＦｕ）にアクセスし、該割り当て機能部（ＺｕＦｕ）は前記イベントエントリ（ＡＢＣ，ＸＹＺ）に優先順位（Ｐ１，Ｐ２）を割り当てることを特徴とする方法。
【請求項４】
請求項３記載の方法において、
前記セントラルイベントメモリ（２）は、イベントエントリ（ＡＢＣ，ＸＹＺ）のためのメモリロケーション（４，５）と優先順位（Ｐ１，Ｐ２）との一義的な対応づけを有することを特徴とする方法。
【請求項５】
請求項４記載の方法において、
前記イベントモジュール（３）は属性テーブル（９）に基づき、前記メモリロケーション（４，５）に依存して前記イベントエントリ（ＡＢＣ，ＸＹＺ）に属性（８）を割り当てることを特徴とする方法。
【請求項６】
請求項１記載の方法において、
前記イベントモジュール（３）は、エントリすなわち前記車両メモリ（２３）において前記イベントエントリ（ＡＢＣ，ＸＹＺ）のイベントに対応づけられているメモリエントリを初期化し、該初期化にあたり前記イベントモジュール（３）は、前記イベントエントリ（ＡＢＣ，ＸＹＺ）をメモリモジュール（２１）へ伝送し、該メモリモジュール（２１）は、前記イベントに割り当てられているメモリエントリを車両メモリ（２３）に書き込むことを特徴とする方法。
【請求項７】
請求項１記載の方法において、
時間的に持続するイベント発生時、前記セントラルイベントメモリ（２）に書き込みを行う基本コンポーネント（ＢＫ１，ＢＫ２，ＢＫ３）はイベントの開始時点とイベントの終了時点を該セントラルイベンメモリ（２）に書き込み、前記イベントモジュール（３）は、前記基本コンポーネント（ＢＫ１，ＢＫ２，ＢＫ３）により終了時点が書き込まれなかったときには、開始時点と同じ時間値を前記イベントの終了時点に与えることを特徴とする方法。
【請求項８】
請求項１記載の方法において、
重大であるまたはエラーであると分類されたイベントが発生した場合、制御パラメータ「周期的」が割り当てられ、該制御パラメータにより、規則的なタイムインターバルで反復されるシンボリックな表示がディスプレイ上で行われることを特徴とする方法。
【発明の詳細な説明】
【技術分野】
【０００１】
本発明は、有用車両のオペレーションに係わる個人データを電子的に記録するディジタルタコグラフによってイベントに対応づけられているイベントエントリを管理する方法に関する。
【０００２】
タコグラフの動作とは基本的に、車両速度を時間に依存して記録すること、および１人または複数の個人に関連づけてアクティビティないしは活動状態を記録することである。ここで重要な要素となるのは、法的規則の遵守を監視する目的でドライビング時間、休憩時間などを監視することである。この場合、多くのイベントが発生する可能性があり、たとえば記録のエラー、速度に関連づけられた測定値の記録機構への周期的な伝送、あるいは記録機構を制御するための操作部材のオペレーションなどである。機械的なタコグラフの時代はこの種のイベントは実質的に互いに無関係に処理されており、これによれば操作者がじかに記録の段階で関係を作り出すことも多かった。このほか、機械的な機器の機能特性ゆえに、たとえばシステムエラーまたは測定エラーといったたいして細分化されていない検出しか行えず、ユーザは基本的なものに絞られた機能しか利用できなかった。このような記録装置もしくはタコグラフは、記録機器に対するユーザの介入が必要とされるイベントが発生したとき、大雑把な指示しかユーザに通知しないので、以降のオペレーションプロセスの詳細はユーザが自身のオペレーション能力に基づいて決定しなければならず、ないしはオペレーションの適格性次第で決定されてしまっていた。
【０００３】
新しいディジタル世代のタコグラフによれば、慣用の機器に比べて著しく多くの細分化された機能が提供される。それ相応のイベントが発生した場合、はっきりとしたエラーメッセージとアクション指示がメニュー支援型のオペレーションによってユーザに伝達される。たとえば記録評価の可能性についていえば、有用車両のドライバに対し、たとえば法的な決まりに従い休憩時間が必要であることが自動的に注意喚起されるといったまったく新しい機能が提供される。しかも新たなセキュリティメカニズムによって、偽るつもりで行おうとする不正の試みがうまくいかないよう確実に阻止される。機能範囲が大幅に拡張されたこと、ならびにタコグラフと速度センサおよび接続されている他の機器から成る装置全体がいっそう複雑になったことで、考慮すべきイベントの数量が増加した。
【０００４】
この場合、速度センサは車輪回転センサであり、これは一般的には運動センサ（英語ではmotion sensor）と呼ばれるものであって、このセンサは車輪回転の尺度としてパルスを供給し、それらのパルスから運行記録計は車輪回転定数に基づき車両の辿った距離を計算し、計算結果から決められたタイムインターバルで速度を求める。
【０００５】
本発明の課題は、上述の種類のイベントを意味のある時間順序かつ適正な優先順序で考慮できるようにし、たとえば後続処理できるようにした方法を提供することにある。
【０００６】
本発明によればこの課題は、請求項１記載の特徴により解決される。従属請求項には本発明の有利な実施形態が示されている。
【０００７】
本発明のコンテキストにおいてイベントエントリとは、所定のネーミングルールを用いて、たとえばイベント発生時間の記述により、電子的なメモリすなわち中央イベントメモリに書き込まれる電子的な記録のことである。
【０００８】
この場合、書き込みは基本コンポーネントにより行われ、これらの基本コンポーネントは互いにほぼ無関係にイベントを取り出し、たとえばこれらのイベントとは、回転数センサないしは運動センサからの測定値の伝達、あるいは記録エラーまたはセキュリティ侵害または休憩時間の要求等であって、これらのイベントをイベントエントリとしてイベントメモリへ書き込む。この場合、イベントに対し有利には基本コンポーネントにより優先順位が割り当てられ、この優先順位は上位の優先順位ルールに基づきイベントの種類に依存して決められる。ソフトウェアとしてインプリメントされるイベントモジュールはイベントエントリについてイベントメモリを周期的にサーチし、最高優先順位をもつイベントエントリを選択して、そのイベントエントリに制御パラメータを与える。そしてこの制御パラメータに依存してイベントエントリの後続処理が行われ、これによればそのイベントエントリに基づき、車両メモリにおいて元になるイベントに割り当てられたメモリエントリが初期化ないしは準備されるかまたは生成され、あるいはカーエリアネットワークを介して接続されているコンポーネントへ制御信号が送信され、またはつながっているプリンタへ出力させることができ、あるいはディスプレイに表示され、あるいは外部のデータメモリへのデータ伝送が指示される。
【０００９】
本発明の格別な利点は、タコグラフにおける著しく負荷のかかったメインプロセッサに対し、イベントにより開始されるプロセスの処理を安定性を脅かして都合の悪いときに行わせることなく、任意の時点でイベントが考慮されることである。この場合、セントラルイベントメモリは時間的なバッファとして働き、このようなイベントメモリによって、イベントにより開始されるプロセスを制御されたかたちでプランどおりに実行させることができ、その際、本発明による優先順位付けに基づき、イベントエントリをイベントメモリに格納する際、タコグラフにおける中央プロセッサの負荷が必要最低限に抑えられる格別な相乗効果がもたらされる。
【００１０】
本発明の１つの格別有利な実施形態によれば制御テーブルには、イベントエントリに対応づけられているイベント参照番号に依存して制御パラメータが含まれている。この場合、イベント参照番号を単にイベントエントリの名称として構成してもよいし、あるいはイベントエントリもしくはイベントに割り当てられた属性として構成してもよい。イベントエントリの後続処理を変更する場合、ここでは制御テーブル内のエントリを変えるだけでよいので、格別なフレキシビリティが得られる。有利なことに本発明による方法によれば基本コンポーネントは、イベントエントリに優先順位を割り当てる割り当て機能部へアクセスすることができる。その際、この割り当て機能部は有利には集中アクセスないしは中央アクセスの対象であり、したがってイベントもしくはイベントエントリの処理に関する優先順位に関する変更を、基本コンポーネントにおける変更を最小コストでインプリメントすることができる。
【００１１】
イベントメモリを最高優先順位をもつイベントエントリについてサーチする煩雑さないしはコストを最低限に抑えるために好適であるのは、セントラルイベントメモリがイベントエントリのためのメモリロケーションと優先順位との一義的な対応づけを有することである。このようにして、基本コンポーネントのイベントのエントリは割り当て機能部により優先順位に依存してイベントメモリにおける特定のメモリロケーションのところでのみ行われる。この場合、イベントモジュールはメモリエントリによる１番目の占有についてメモリロケーションを１回シーケンシャルに降順の優先順位でサーチするだけであり、その際、最初にメモリエントリ全体をそれらの優先順位について比較する必要がない。イベントのメモリロケーションを優先順位により固定的に決めることで、特定のイベントが必ず同じメモリロケーションに書き込まれる。優先順位とメモリロケーションの固定的な対応づけゆえに、優先順位のコンフリクトが発生する可能性はない。しかもこのことによりさらに可能となるのは、持続期間をもつイベントが何度も通知される場合、それがまだ終了しない期間、そのメッセージを単に無視できることである。同じイベントがすでに終了後に再び通知された場合、イベントカウンタのインクリメントによりそのことが記録される。メモリロケーションが再び空き状態になるまで基本コンポーネントが待たなければいけないケースはない。
【００１２】
したがって同じ優先順位をもつイベントないしはイベントエントリは、それらの発生時間順にイベントモジュールにより後続処理部へ供給され、もしくはそれらに制御パラメータが設けられる。
【００１３】
殊に好適であるのは本発明による方法を、イベントモジュールが属性テーブルに基づきメモリロケーションに従いイベントエントリに属性を割り当てるように構成することである。割り当てられた属性によって、たとえば印刷またはディスプレイにおける出力など後続の処理ステップに補足情報を転送することができる。
【００１４】
本発明の用途において殊に重要であるのは、法的規則に従い車両メモリもしくはチップカードにおいて実施されなければならないメモリエントリが高い安定性基準を満たすことであり、したがってここで有利であるのは、イベントモジュールがエントリすなわちイベントエントリのイベントに対応づけられた車両メモリ内のメモリエントリを初期化ないしは準備することであり、その際にイベントモジュールはイベントエントリをメモリモジュールに渡し、メモリモジュールはイベントに対応づけられたメモリエントリを車両メモリに書き込む。
【００１５】
同様にディジタルタコグラフにおける適用にとって重要であるのは、イベントメモリに書き込みを行う基本コンポーネントがイベントの開始時点と終了時点をイベントメモリに書き込む期間である時間的な持続を伴うイベントの書き込みであって、特定のイベントがその定義によっては持続期間をもたないことから基本コンポーネントにより終了時点が書き込まれなかったならば、イベントモジュールはイベントの終了に対し開始と同じ時間値をもたせることである。開始時点と終了時点の時間値に等しい値を与える格別な利点は、あとで生じるエラーが回避されることである。
【００１６】
次に、図面を参照しながら実施例に基づき本発明について詳しく説明する。
【００１７】
図１は、本発明による方法を示すフローチャートである。
【００１８】
図１には、本発明の方法による基本的な流れならびに種々のコンポーネントの共働について示されている。タコグラフ１は、参照符号１の付されたシステム境界によってシンボリックに表されている。種々の基本コンポーネントＢＫ１，ＢＫ２，ＢＫ３はイベントメモリ２への書き込みアクセス権をもっており、これらの基本コンポーネントＢＫ１，ＢＫ２，ＢＫ３はイベント発生時、たとえばディスプレイに表示する要求が発生したとき、イベントエントリＡＢＣ，ＸＹＺをイベントメモリ２に記録する。この場合、イベントエントリＡＢＣ，ＸＹＺに対し基本コンポーネントにより、割り当て機能部ＺｕＦｕへアクセスすることで優先順位Ｐ１，Ｐ２が設定される。
【００１９】
基本コンポーネントＢＫ１，ＢＫ２，ＢＫ３はイベントをイベントエントリＡＢＣ，ＸＹＺとして、その発生時には「ペンディング pending」として、終了時には「終了 terminated」として、中央イベントメモリ２に書き込む。ここで各イベントエントリＡＢＣ，ＸＹＺは、ステータス、イベントカウンタ、開始時点マーカおよび終了時点マーカから成る。イベントカウンタは統計の目的でのみ用いられる。ステータスにはフラグとして「ペンディング pending」、「終了 terminated」、「イベントアクティブ event active」、「スタートＬＣＤ start-LCD」、「アクティブＬＣＤ active LCD」、「周期的イベント cyclic-event」が含まれている。
【００２０】
イベントモジュール３は、最高優先順位Ｐ１，Ｐ２をもつイベントエントリＡＢＣ，ＸＹＺについてイベントメモリ２をサーチする。イベントメモリ２内のイベントエントリＡＢＣ，ＸＹＺは、その優先順位Ｐ１，Ｐ２に従いメモリロケーション４，５に対し一義的に対応づけられており、したがってイベントモジュール３は個々のメモリロケーション４，５を単に降順の優先順位Ｐ１，Ｐ２でシーケンシャルにサーチし、最初に占有されているメモリロケーション４，５のイベントエントリＡＢＣ，ＸＹＺに対し後続処理を行わせる。
【００２１】
後続処理においてイベントモジュール３はイベントエントリＡＢＣ，ＸＹＺに対し、制御パラメータテーブル７から制御パラメータ６を、属性テーブル９から属性８を割り当てる。
【００２２】
属性８と制御パラメータ６とによって拡張されたイベントエントリＡＢＣ，ＸＹＺはイベントモジュール３から出力手段、記憶手段、転送手段あるいは後続処理手段へ送られる。制御パラメータ６が出力を意図しているならば、拡張されたイベントエントリＡＢＣ，ＸＹＺが出力モジュール２０へ伝送され、このモジュール２１はさらにメモリモジュール２１を有しており、これによってイベントエントリＡＢＣ，ＸＹＺに基づくメモリエントリが車両メモリ２３またはカードメモリ２４，２５に記憶される動作が制御される。カードメモリ２４，２５はタコグラフ１における２つの構成部材であり、単に仮想的なチップカードとして構成されている。つまりタコグラフ１におけるメモリ領域は、記録用にタコグラフ１に挿入される実際のチップカードと同一のデータエントリによって占有されている。あるイベントをプリンタ２７によって出力すべきであるならば、出力モジュール２０は拡張されたイベントエントリＡＢＣ，ＸＹＺをプリンタ２７へ送り、相応の制御を行う。そのほか出力モジュール２０は、接続されているダウンロードモジュール２８によってデータをダウンロードすることができる。イベントモジュール３から他のコンポーネント３０へのデータ伝送を、カーエリアネットワークCar-Area-Network CANを介して行うことができる。さらにイベントモジュール３は、タコグラフ１のディスプレイ３１に出力することができる。さらに別の出力機器３４につなぐというオプションによって、イベントモジュール３と接続状態にあるインフォモジュール３５が提供される。警告モジュール３６を用いることでイベントモジュール３は、たとえばメータパネルのようなコンビネーション機器３７に警告メッセージを表示させることができる。
【図面の簡単な説明】
【００２３】
【図１】本発明による方法を示すフローチャート
【図１】
2008511885.tif 000003
【国際調査報告】
2008511885.tif 000004
2008511885.tif 000005
2008511885.tif 000006
2008511885.tif 000007